(57)【特許請求の範囲】
【請求項１】
バスタブ開口の上縁に腰掛け面が延出形成されてなる浴槽に覆設される前記バスタブ開口と前記腰掛け面を覆う形状に形成された浴槽蓋において、前記浴槽の腰掛け面は、外周側が略水平面に形成され、該水平面から前記バスタブ開口側へ勾配をなして傾斜面に形成されているとともに、前記浴槽蓋は、その外周縁が前記水平面上に載置され前記傾斜面との間に隙間を形成するように覆設されることを特徴とする腰掛け付き浴槽用の浴槽蓋。
【発明の詳細な説明】
【０００１】
【産業上の利用分野】
この発明は、腰掛け付きの浴槽用の浴槽蓋に関するものである。
【０００２】
【従来の技術及びその課題】
従来、図８の平面図で示すように、浴槽１の湯を溜めるバスタブの開口２から洗い場側に延出して腰掛け面３が上面に形成されている浴槽が存在し、老人等がこの腰掛け面３に腰を降ろした状態でバスタブ内に良好に入浴できるように構成されている。このような浴槽１の上面に覆設される浴槽蓋は図９に示すように、例えば２枚の浴槽蓋４Ａ，４Ｂがバスタブ開口２の上面を覆蓋するように被せられるものであるが、従来においては、腰掛け面３は湯に浸かっていないために冷たく、入浴する時にこの冷たい腰掛け面３に腰を降ろす必要があり、腰掛け面３に腰を掛けた時に不快感を生ずるという問題点があった。
即ち、図１０の断面拡大図で示すように、浴槽蓋４Ａの外周縁はバスタブ開口２の外側に載置されるものであるため、腰掛け面３は冷えた状態となっているのである。また、従来、図１１に示すように、洗い場側へ両サイドより突出して２個の腰掛け面３，３が形成された浴槽が存在するが、このような浴槽においても図１２に示すように、浴槽蓋４Ａ，４Ｂは腰掛け面３，３を覆うものではないため腰掛け面３，３が冷たく、腰を掛けた時に不快であるという問題点がある。また、さらに図１３に示すように、横方向に延出して腰掛け面３が形成された浴槽１が存在するが、このような浴槽１においても図１４に示すように、蓋４Ｂは腰掛け面３を覆蓋しないため腰掛け面３が冷えて、この腰掛け面３に腰を掛けた時に不快感が生ずるという問題点があった。
【０００３】
【課題を解決するための手段】
本発明は上記従来の問題点に鑑み案出したものであって、腰掛け面に腰を掛けた時に不快感の生じない浴槽用の浴槽蓋を提供せんことを目的とし、その要旨は、バスタブ開口の上縁に腰掛け面が延出形成されてなる浴槽に覆設される前記バスタブ開口と前記腰掛け面を覆う形状に形成された浴槽蓋において、前記浴槽の腰掛け面は、外周側が略水平面に形成され、該水平面から前記バスタブ開口側へ勾配をなして傾斜面に形成されているとともに、前記浴槽蓋は、その外周縁が前記水平面上に載置され前記傾斜面との間に隙間を形成するように覆設されることである。
【０００４】
【実施例】
以下、本発明の実施例を図面に基づいて説明する。
図１は、浴槽の平面構成図であり、浴槽１には湯を溜めることのできるバスタブが形成され、バスタブの上面は開口されたバスタブ開口２となっており、バスタブ開口２の上縁より洗い場側へ突出状に腰掛け面３が延出形成されたものとなっており、このような浴槽１の上面に覆設される浴槽蓋４Ａ，４Ｂのうち、浴槽蓋４Ａは前記腰掛け面３をも覆うことのできるように延出部４ａが形成されたものとなっており、また、浴槽蓋４Ａ及び４Ｂの外周縁には軟質の周縁材５が巻着されたものとなっている。
【０００５】
即ち、図３の要部断面拡大図で示すように、本例の浴槽１の前記腰掛け面３は、外周側に略水平状に形成された水平面３ａと、この水平面３ａから前記バスタブ開口２側へ勾配をなして傾斜面３ｂが形成されたものとなっており、また、水平面３ａの外端縁からは一体状に垂下片１ａが形成されて、この垂下片１ａには前板６が接続状に取り付けられたものとなっている。また、前記浴槽蓋４Ａの周縁に付設されている周縁材５は高さ方向に厚みを有しており、この周縁材５が前記腰掛け面３の水平面３ａ上に載置される寸法形状に浴槽蓋４Ａは形成されており、図３のように、周縁材５が水平面３ａ上に載置されて浴槽蓋４Ａが蓋された状態では、浴槽蓋４Ａと前記傾斜面３ｂ間に相当の隙間が形成されるものとなり、この隙間内にバスタブ開口２側から湯気が回り込み、湯気により傾斜面３ｂ及び水平面３ａの一部が良好に暖められるものとなる。特に、浴槽蓋４Ａと傾斜面３ｂ間には高さ方向に大なる隙間が形成されるため、良好にバスタブ開口２側から湯気が腰掛け面３に回り込むことができ、回り込んだ湯気は周縁材５が水平面３ａに密着状に載置されているため外側に漏れることはなく、良好に腰掛け面３を暖めることができる。従って、このような浴槽蓋４Ａを用いた浴槽においては、入浴する時に浴槽蓋４Ａを取り払い腰掛け面３上に腰を降ろしても、腰掛け面３は暖められているため冷たい感じを受けることがなく、従来のような不快感を生じることなく良好に腰掛け面３に腰を降ろして足をバスタブ開口２側へ回し良好に浴槽１内に入浴することができるものとなる。
【０００６】
次に、図４は第２実施例の浴槽の平面図を示すものであり、図４においては、バスタブ開口２の上縁の長手方向両側に洗い場に向かって腰掛け面３，３が突出状に形成されたものであり、このような一対の腰掛け面３，３においても、各腰掛け面３は、外周側の水平面３ａと、勾配をなす傾斜面３ｂで形成されている。この図４のような浴槽１の上面に覆設される浴槽蓋４Ａ，４Ｂにはそれぞれ腰掛け面３，３の上面を覆うことのできる延出部４ａ，４ａが形成されたものとなっており、この延出部４ａ，４ａにより良好に腰掛け面３が覆われて、腰掛け面３，３は湯気により良好に暖められるものである。
なお、湯気が水滴となった場合にも前記傾斜面３ｂはバスタブ開口２側へ勾配をなして形成されているため、水滴は良好にバスタブ内に流れ込むことができ、腰掛け面３が水滴により冷やされることはない。
【０００７】
また、図６は第３実施例を示すものであり、この図６の浴槽は、長手方向の右端側に延出状に腰掛け面３が一体形成されたものであり、この腰掛け面３も、外周側の水平面３ａとその内側で勾配をなす傾斜面３ｂで構成されており、図７に示すように、このような腰掛け面３を覆う形状の浴槽蓋４Ｂにより腰掛け面３が良好に覆われて、腰掛け面３にバスタブ開口２側から湯気が回り込んで良好に腰掛け面３が暖められるものであり、浴槽蓋４Ｂを取り除いて入浴する際に腰掛け面３に腰を降ろした時に従来のような冷たい不快感を受けることがなく、腰掛け面３に良好に腰を降ろしてその状態で足をバスタブ開口２側へ回して良好に入浴することができるものとなる。
【０００８】
【発明の効果】
本発明は、バスタブ開口の上縁に腰掛け面が延出形成されてなる浴槽に覆設される前記バスタブ開口と前記腰掛け面を覆う形状に形成された浴槽蓋において、前記浴槽の腰掛け面は、外周側が略水平面に形成され、該水平面から前記バスタブ開口側へ勾配をなして傾斜面に形成されているとともに、前記浴槽蓋は、その外周縁が前記水平面上に載置され前記傾斜面との間に隙間を形成するように覆設されることにより、腰掛け面が浴槽蓋により覆われるため、バスタブ開口側から湯気が良好に傾斜面に回り込んで腰掛け面を暖めることができ、また、回り込んだ湯気が水滴となっても傾斜面に沿ってバスタブ側へ良好に流されるため、水滴により腰掛け面が冷やされることがなく、腰掛け面を良好な保温状態に保持し得、浴槽蓋を取り除いて入浴する際に腰掛け面に腰を降ろしても従来のように冷たい感じを受けることがなく、快適に腰掛け面上に腰を降ろして入浴が可能となる効果を有する。
【図面の簡単な説明】
【図１】  第１実施例の浴槽の平面構成図である。
【図２】  図１の浴槽上に浴槽蓋を覆設した状態の平面構成図である。
【図３】  浴槽蓋を覆設した状態の要部縦断面拡大構成図である。
【図４】  第２実施例の浴槽の平面構成図である。
【図５】  図４の浴槽上面に浴槽蓋を覆設した状態の平面構成図である。
【図６】  第３実施例の浴槽の平面構成図である。
【図７】  図６の浴槽上面に浴槽蓋を覆設した状態の平面構成図である。
【図８】  従来の浴槽の平面構成図である。
【図９】  図８の浴槽上に従来の浴槽蓋を覆設した状態の平面構成図である。
【図１０】  浴槽蓋の覆設状態の縦断面拡大構成図である。
【図１１】  異なる形状の従来の浴槽の平面構成図である。
【図１２】  図１１の浴槽上面に浴槽蓋を覆設した状態の平面構成図である。
【図１３】  さらに異なる形状の従来の浴槽の平面構成図である。
【図１４】  図１３の浴槽上面に浴槽蓋を覆設した状態の平面構成図である。
【符号の説明】
１  浴槽
２  バスタブ開口
３  腰掛け面
３ａ  水平面
３ｂ  傾斜面
４Ａ，４Ｂ  浴槽蓋
４ａ  延出部
５  周縁材
【図１】
0003743898.tif 000002
【図２】
0003743898.tif 000003
【図３】
0003743898.tif 000004
【図４】
0003743898.tif 000005
【図５】
0003743898.tif 000006
【図６】
0003743898.tif 000007
【図７】
0003743898.tif 000008
【図８】
0003743898.tif 000009
【図９】
0003743898.tif 000010
【図１０】
0003743898.tif 000011
【図１１】
0003743898.tif 000012
【図１２】
0003743898.tif 000013
【図１３】
0003743898.tif 000014
【図１４】
0003743898.tif 000015